(57)【要約】【課題】  遊技台が不正に開けられたことを確実に検出可能な台間機の監視装置を提案すること。【解決手段】  遊技台の監視装置１０は、遊技台２が開けられたことを検出するための検出機構として、遊技台２に取り付けたＩＣタグ１１と、呼出ランプ４に内蔵したＩＣタグ・リーダ１２とを備えている。遊技台２が閉じ状態ではＩＣタグ１１がＩＣタグ・リーダ１２と通信可能な領域Ａ内に位置している。遊技台２を開けると、そこに取り付けてあるＩＣタグ１１がＩＣタグ・リーダ１２から離れ、領域Ａから外れると、ＩＣタグ・リーダ１２がＩＣタグ１１のタグ情報を受信不能になり、遊技台２が開けられたことが検出される。メカニカルスイッチやホトカプラを用いる場合に比べて、確実に遊技台２の開閉状態を監視できる。【選択図】  図２
2005073775.tif 000002
【特許請求の範囲】
【請求項１】
遊技島枠に取り付けた遊技台の開閉を監視する遊技台監視装置において、
前記遊技台に取り付けた少なくとも一個のＩＣタグと、
前記遊技島枠の側に取り付けたＩＣタグ・リーダとを有し、
前記遊技台が閉じている状態では前記ＩＣタグが前記ＩＣタグ・リーダと通信可能な領域内に位置し、前記遊技台が所定量だけ開くと前記ＩＣタグが前記通信可能な領域から外れる遊技台の監視装置。
【請求項２】
請求項１において、
前記遊技島枠における前記遊技台に対応して取り付けられている呼出ランプを有し、
前記ＩＣタグ・リーダは前記呼出ランプに内蔵されている遊技台の監視装置。
【請求項３】
請求項１または２において、
前記呼出ランプは、前記ＩＣタグとの通信が不能である旨を表す信号を前記ＩＣタグ・リーダから受信すると、所定の表示駆動形態で前記遊技台が開いている旨の警告を行う遊技台の監視装置。
【請求項４】
請求項３において、
前記呼出ランプは警告表示のオンオフスイッチを有し、
前記オンオフスイッチがオンのときのみ、前記遊技台が開いている旨の警告を行う遊技台の監視装置。
【請求項５】
請求項１ないし４のうちのいずれかの項において、
前記ＩＣタグ・リーダからの信号内容に基づき、前記遊技台の開閉履歴を記録する管理装置を有している遊技台の監視装置。
【請求項６】
請求項１ないし５のうちのいずれかの項において、
前記ＩＣタグとの通信が不能である旨を表す信号を前記ＩＣタグ・リーダから受信すると、監視カメラにより前記遊技台を撮像する監視カメラ装置を有している遊技台の監視装置。
【発明の詳細な説明】
【技術分野】
【０００１】
本発明は、不正行為の防止あるいは摘発のために、パチンコ台などの遊技台の開閉状態を監視する遊技台の監視装置に関するものである。
【背景技術】
【０００２】
パチンコ台などの遊技台では、メンテナンスなどの必要性から、遊技島枠などの取付枠に各遊技台が開閉可能に取り付けられ、例えば、玉詰まりなどが発生したときに遊技台を開けて裏面側からその回復作業を行う。遊技台は不正に開閉されないように施錠されており、不正に鍵を取得して扉を開閉したことを検出できるように、例えば、下記の特許文献１では、各鍵に識別情報を担持させ、開錠時にこの識別情報を読み込み記録するようにしている。
【０００３】
ここで、遊技台の開閉を直接に監視する装置としては、遊技台にマイクロスイッチなどのメカニカルスイッチやホトカプラを取り付け、その出力に基づき遊技台の開閉を監視するものが一般的である。しかしながら、メカニカルスイッチを用いる場合には、その作動片を、テープあるいは接着剤などによって固定すると、検出が不能になってしまう。また、ホトカプラなどのホトセンサを用いる場合においても、その光路を遮断してしまえば、遊技台の開閉状態の検出が不能になってしまう。
【特許文献１】特開平１０−３３８０３号公報
【発明の開示】
【発明が解決しようとする課題】
【０００４】
本発明の課題は、不正行為により動作不能状態に陥るおそれのない開閉検出機構を備えた遊技台の監視装置を提案することにある。
【課題を解決するための手段】
【０００５】
上記の課題を解決するために、本発明は、遊技島枠に取り付けた遊技台の開閉を監視する遊技台監視装置において、
前記遊技台に取り付けた少なくとも一個のＩＣタグと、
前記遊技島枠の側に取り付けたＩＣタグ・リーダとを有し、
前記遊技台が閉じている状態では前記ＩＣタグが前記ＩＣタグ・リーダと通信可能な領域内に位置し、前記遊技台が所定量だけ開くと前記ＩＣタグが前記通信可能な領域から外れることを特徴としている。
【０００６】
本発明では、遊技台の開閉検出機構としてＩＣタグとＩＣタグ・リーダを用いている。ＩＣタグは非接触型ＩＣカードを小型にしたラベル型データキャリアであり、ラベル、ＲＦＩＤ（無線式ＩＤ）、応答器とも呼ばれている。従って、非接触型ＩＣカードと同様に、ＩＣタグ・リーダから電磁誘導により電力やクロックが供給され、また、情報の通信が行われる。ＩＣタグとしては、最も普及している通信距離が最大で約２０ｃｍ程度の近接型のもの（ＩＳＯ／ＩＥＣ１４４４３）を用いることができる。
【０００７】
遊技台が閉じている状態では、遊技台に取り付けられているＩＣタグと遊技島枠に取り付けられているＩＣタグ・リーダとが近接位置にあるので、ＩＣタグ・リーダによって電磁誘導によりＩＣタグに電力が供給され、両者の間で通信が可能である。したがって、遊技台が閉じている状態ではＩＣタグの側から予め担持されている固有のタグ情報が発信されてＩＣタグ・リーダの側において受信される。ＩＣタグ・リーダの側において定期的に発信して、タグ情報を受信することにより、遊技台が閉状態にあることが検出される。
【０００８】
遊技台が開くと、遊技台に取り付けられているＩＣタグが遊技島枠の側に取り付けられているＩＣタグ・リーダから離れる。それらが通信可能な距離よりも離れると、ＩＣタグ・リーダの側においてタグ情報を受信不能になる。受信不能状態から遊技台が開いたことが分かる。
【０００９】
ここで、一般に、遊技島枠には、各遊技台に対応する部位に呼出ランプが取り付けられている。従って、前記ＩＣタグ・リーダを前記呼出ランプに内蔵すれば、ＩＣタグ・リーダの取り付け場所を別途設ける必要がない。
【００１０】
また、前記呼出ランプに、前記ＩＣタグとの通信が不能である旨を表す信号を前記ＩＣタグ・リーダから供給して、所定の表示駆動形態で前記遊技台が開いている旨の警告を発するようにすることもできる。
【００１１】
この場合、前記呼出ランプに警告表示のオンオフスイッチを配置し、前記オンオフスイッチがオンのときのみ、前記遊技台が開いている旨の警告を行うようにしてもよい。
【００１２】
次に、遊技店に設置されているホールコンピュータと呼ばれる管理コンピュータなどの管理装置に、前記ＩＣタグ・リーダからの信号内容に基づき、前記遊技台の開閉履歴を記録させるようにすれば、例えば、営業時間外の夜間などにおける不正行為を知ることができる。
【００１３】
また、遊技台の監視カメラ装置が備わっている場合には、前記ＩＣタグとの通信が不能である旨を表す信号を前記ＩＣタグ・リーダからそこに供給し、監視カメラを前記遊技台に向けて当該遊技台を撮像すれば、不正行為などの摘発に有利である。
【発明の効果】
【００１４】
本発明の遊技台の監視装置ではＩＣタグおよびＩＣタグ・リーダを利用して遊技台の開閉を監視している。これらは非接触状態で情報を送受できるので、従来のメカニカルスイッチやホトカプラなどに比べて、人目に付かない部位に設置することが容易である。よって、遊技台の開閉の検出動作を不能にする細工などを行うことが極めて困難であるので、不正行為を確実に防止あるいは摘発可能な監視装置を実現できる。
【００１５】
また、非接触型の検出機構であるので、配線工事が不要であり、その設置工事も極めて簡単である。特に、ＩＣタグ・リーダを呼出ランプに内蔵した場合には、既存の呼出ランプから遊技店の管理コンピュータへの通信回線を利用して遊技台の開閉状態を管理コンピュータに通知できる。よって、ＩＣタグ・リーダと管理コンピュータとの通信回線の設置工事が不要になる。
【００１６】
さらに、呼出ランプの表示機能を利用して遊技台が開いたことを警告表示しているので、遊技台が開いた旨の警告表示のために別途、表示設備を設ける必要がない。
【００１７】
これに加えて、ＩＣタグおよびＩＣタグ・リーダからなる検出機構は非接触型であり、可動部が無いので、保守性、耐環境性に優れ、動作の信頼性が高いという利点がある。
【発明を実施するための最良の形態】
【００１８】
以下に、図面を参照して、本発明を適用した遊技台の監視装置を説明する。
【００１９】
図１は遊技台の監視装置の全体構成図であり、図２は遊技台を開けた状態を示すための説明図である。これらの図に示すように、パチンコ店などの遊技店においては、木製枠などからなる遊技島枠１に所定の間隔で遊技台２が取り付けられており、各遊技台２の隣接位置にはパチンコ玉などの遊技媒体の貸し出し処理動作を行う台間機３が配置されている。各遊技台２は、その前面の左側の遊技台側枠２ａが蝶番（図示せず）などを介して遊技島枠１の側に取り付けられており、ここを中心として、図２に実線で示す閉じ位置から想像線で示す全開位置まで開けることが可能となっている。通常は、右側の遊技台側枠２ｂに取り付けた施錠機構２ｃによって閉じ位置に固定されている。
【００２０】
また、遊技島枠１の前面パネル１ａにおける各遊技台２の真上の位置には、それぞれ呼出ランプ４が取り付けられている。呼出ランプ４は、遊技台２による遊技が可能であるか否かの表示機能や、異常事態が発生した場合の警告表示機能が備わっている。呼出ランプ４は、ランプケース４ａと、ランプケース４ａに内蔵されているＬＥＤなどからなる発光部４ｂと、発光部４ｂを駆動制御する駆動制御部４ｃとを備えている。駆動制御部４ｃは通信回線５を介して、遊技店の管理コンピュータ６に接続されている。
【００２１】
各遊技台２の開閉状態を監視するための監視装置１０は、各遊技台２に取り付けたＩＣタグ１１と、遊技島枠１の側の呼出ランプ４に内蔵したＩＣタグ・リーダ（受信部）１２と、呼出ランプ４と、管理コンピュータ６と、監視カメラ装置７から構成されている。ＩＣタグ１１は、各遊技台２における右側の上隅部分に内蔵されている。ＩＣタグ・リーダ１２は呼出ランプ４の駆動制御部４ｃが搭載されている基板（図示せず）に搭載され、当該ＩＣタグ・リーダ１２の出力信号が駆動制御部４ｃに供給され、ここを経由して、管理コンピュータ６にも供給される。管理コンピュータ６はＩＣタグ・リーダ１２からの出力信号に基づき検出される遊技台２の開閉履歴を内蔵あるいは外付けのメモリに記録する。また、遊技台２が開けられたことが検出されたときには、監視カメラ装置７に制御信号を出力する。監視カメラ装置７は、制御信号を受信すると、遊技台２を撮像割り当て範囲としている監視カメラ７ａを当該遊技台２に向けて、当該遊技台２を撮像するようになっている。
【００２２】
ここで、本例のＩＣタグ１１とＩＣタグ・リーダ１２の通信可能な距離はＬとされている。従って、図２に斜線で示すように、固定配置されているＩＣタグ・リーダ１２を中心とする半径Ｌの円が通信可能な領域Ａである。遊技台２を開けると、その開度が増加するに連れて、遊技台２に取り付けられているＩＣタグ１１がＩＣタグ・リーダ１２から遠ざかり、通信可能な領域Ａから外れる。これ以後は、ＩＣタグ・リーダ１２はＩＣタグ１１からのタグ情報が受信不能になり、このＩＣタグ・リーダ１２からは、遊技台２が開いたことを表す信号が出力される。
【００２３】
また、本例では、呼出ランプ４にはオンオフスイッチ４ｄが内蔵されている。例えば、遠隔操作式の光学スイッチからなるオンオフスイッチ４ｄが内蔵されている。オンオフスイッチ４ｄがオン状態の場合には、ＩＣタグ・リーダ１２から遊技台２が開いた旨を表す信号が出力されると、呼出ランプ４の駆動制御部４ｃは予め定められた表示駆動形態で発光部４ａを駆動して、その旨を報知する。オンオフスイッチ４ｄがオフにされると、駆動制御部４ｃはＩＣタグ・リーダ１２から信号が出力されても発光部４ａを駆動しない。
【００２４】
このように構成した遊技台の監視装置１０の動作を以下に纏めて説明する。遊技台２が閉じ位置にある通常の状態では、ＩＣタグ１１がＩＣタグ・リーダ１２と通信可能な領域Ａ内に位置しているので、ＩＣタグ・リーダ１２は定期的にタグ情報を受信する。よって、遊技台２が閉じ状態にあることが検出される。
【００２５】
遊技台２が開けられると、それに伴ってそこに取り付けられているＩＣタグ１１が呼出ランプ４内蔵のＩＣタグ・リーダ１２から遠ざかり、通信可能な領域Ａから外れる。この結果、ＩＣタグ・リーダ１２ではＩＣタグ１１からのタグ情報を受信不能になる。これにより、ＩＣタグ・リーダ１２からは遊技台２が開けられた旨の信号が出力される。呼出ランプ４のオンオフスイッチ４ｄがオン状態の場合には、信号が出力されると、呼出ランプ４が予め定められた表示駆動形態で駆動して、遊技台２が開けられた旨を報知する。オンオフスイッチ４ｄがオフの場合にはかかる表示動作は行われない。
【００２６】
ＩＣタグ・リーダ１２からの信号は呼出ランプ４および通信回線５を経由して管理コンピュータ６に送信され、この管理コンピュータ６のメモリに遊技台２が開けられたことがその時間と共に記録される。また、管理コンピュータ６からは監視カメラ装置７に制御信号が出力され、監視カメラ装置７は、開けられた遊技台２を撮像するために、当該遊技台２が監視領域とされている監視カメラ７ａを当該遊技台２に向けて撮像動作を行わせる。
【００２７】
遊技店の営業外の時間帯では遊技店は無人であり、呼出ランプ４を駆動する意味が無いのでオンオフスイッチ４ｄをオフにセットすることが望ましい。これに対して、営業時間帯では、店員が遊技店内を巡回しているので、オンオフスイッチ４ｄをオンに切り替えて呼出ランプ４を駆動してもよい。
【００２８】
なお、ＩＣタグ１１を複数個取り付けることも可能である。各ＩＣタグを異なる場所に取り付けておけば、例えば、遊技台２の開き度合いなども検出可能である。また、一つのＩＣタグが故障した場合にも遊技台２の開閉を検出できる。
【００２９】
また、上記の例ではＩＣタグ・リーダの出力信号を呼出ランプ４を経由させて管理コンピュータに送信しているが、呼出ランプ４を経由させることなく、ＩＣタグ・リーダの出力信号を管理コンピュータに送信してもよい。
【図面の簡単な説明】
【００３０】
【図１】本発明を適用した遊技台の監視装置の全体構成図である。
【図２】遊技台の開閉状態およびＩＣタグの通信可能な領域を示す説明図である。
【符号の説明】
【００３１】
１  遊技島枠
１ａ  前面パネル
２  遊技台
２ａ  左側の遊技台側枠
２ｂ  右側の遊技台側枠
３  台間機
４  呼出ランプ
４ａ  発光部
４ｂ  駆動制御部
４ｃ  ランプケース
４ｄ  オンオフスイッチ
５    通信回線
６    管理コンピュータ
７    監視カメラ装置
７ａ  監視カメラ
１０  遊技台の監視装置
１１  ＩＣタグ
１２  ＩＣタグ・リーダ
【図１】
2005073775.tif 000003
【図２】
2005073775.tif 000004